(57)【要約】【課題】記録媒体の未使用領域を有する記録単位に対して特定の情報を記録再生する方法を提供する。【解決手段】ＰＣのＯＳ起動後に、ＦＤの記録領域２のＥＣＢコード以後に未使用領域を有する記録単位を検索し、該当する記録単位の全てに関する第２ＦＡＴ６を作成して記録領域２の所定位置に記録する管理工程と、記録指令時に、ＩＤ１１等を記録可能な大きさの未使用領域を有する記録単位を検索し、検索条件を満足する記録単位のＥＣＢコード以後の未使用領域にＩＤ１１等を記録し、記録に使用した記録単位に関する情報を第２ＦＡＴ６に記録する特定情報記録工程と、再生指令時に、第２ＦＡＴ６を参照してＩＤ１１等を記録した記録単位に関する情報を取得し、取得した情報に対応する記録単位のＥＣＢコード以後の領域からＩＤ１１等を読み出す、特定情報再生工程とを、ＰＣが実行する。【選択図】　　　　図１
2004021632.tif 000002
【特許請求の範囲】
【請求項１】
パーソナルコンピュータ等の情報記録再生装置で使用可能な記録媒体であって、全領域の先頭部に配置され、ファイル格納情報記録テーブルを含む管理情報が記録される管理領域と、前記管理領域の終端部に隣接して配置され、複数個に分割された記録単位の少なくとも１つを用いてデータやプログラム等の各種情報が記録される記録領域とを備える記録媒体を用いて、前記各種情報の記録後にＥＣＢコード以後に未使用領域を有する記録単位に対して特定の情報を記録再生するに際し、
前記情報記録再生装置のオペレーションシステムの起動後の前記記録媒体の認識時に起動され、前記各種情報の記録後にＥＣＢコード以後に未使用領域を有する記録単位を検索する第１工程と、未使用領域を有する記録単位の全てに関する索引を作成して前記記録領域の所定位置に記録する第２工程とから成る管理工程と、
前記特定の情報の記録指令時に起動され、当該特定の情報を記録可能な大きさの未使用領域を有する記録単位を検索する第３工程と、検索条件を満足する記録単位のＥＣＢコード以後の未使用領域に当該特定の情報を記録する第４工程と、前記記録に使用した記録単位に関する情報を前記索引に記録する第５工程とから成る特定情報記録工程と、
前記特定の情報の再生指令時に起動され、前記索引を参照して当該特定の情報を記録した記録単位に関する情報を取得する第６工程と、取得した情報に対応する記録単位のＥＣＢコード以後の領域から前記特定の情報を読み出す第７工程とから成る特定情報再生工程と、
を前記情報記録再生装置が実行することを特徴とする、記録媒体の未使用領域を有する記録単位に対して特定の情報を記録再生する方法。
【請求項２】
前記記録媒体の認識後に前記情報記録再生装置のオペレーションシステムに常駐して前記特定の情報を記録した記録単位に対する前記オペレーションシステムを経由した記録指令の有無を検出する第８工程と、前記記録指令の検出時に前記特定の情報を記録可能な大きさの未使用領域を有する代替記録単位を検索する第９工程と、検索条件を満足する代替記録単位のＥＣＢコード以後の未使用領域に前記特定の情報を移動させて記録する第１０工程と、前記記録に使用した代替記録単位に関する情報を前記索引に記録するとともに前記索引から前記第５工程で記録に使用した記録単位に関する情報を削除する第１１工程とから成る特定情報移動記録工程を前記情報記録再生装置が実行することを特徴とする、請求項１記載の記録媒体の未使用領域を有する記録単位に対して特定の情報を記録再生する方法。
【請求項３】
前記管理工程、特定情報記録工程および特定情報再生工程は、当該記録媒体に予め組み込まれたプログラムにより実行することを特徴とする、請求項１記載の記録媒体の未使用領域を有する記録単位に対して特定の情報を記録再生する方法。
【請求項４】
前記管理工程、特定情報記録工程、特定情報再生工程および特定情報移動記録工程は、当該記録媒体に予め組み込まれたプログラムにより実行することを特徴とする、請求項２記載の記録媒体の未使用領域を有する記録単位に対して特定の情報を記録再生する方法。
【請求項５】
前記特定の情報は、ＩＤ情報、パスワード情報等のセキュリティに関する情報であることを特徴とする、請求項１〜４の何れか１項記載の記録媒体の未使用領域を有する記録単位に対して特定の情報を記録再生する方法。
【請求項６】
前記特定の情報は、ＩＤ情報、パスワード情報等のセキュリティに関する情報およびそれを利用するセキュリティ管理プログラムであることを特徴とする、請求項１〜４の何れか１項記載の記録媒体の未使用領域を有する記録単位に対して特定の情報を記録再生する方法。
【請求項７】
前記特定の情報は、当該情報自体を管理するための管理情報を備えることを特徴とする、請求項１〜６の何れか１項記載の記録媒体の未使用領域を有する記録単位に対して特定の情報を記録再生する方法。
【請求項８】
前記記録媒体は、フレキシブルディスク、光磁気ディスク、ＺＩＰ（登録商標）ディスク、リムーバブルハードディスク、書き換え可能ＣＤ、書き換え可能ＤＶＤ、フラッシュメモリ等のリムーバブル記録媒体であることを特徴とする、請求項１〜７の何れか１項記載の記録媒体の未使用領域を有する記録単位に対して特定の情報を記録再生する方法。
【発明の詳細な説明】
【０００１】
【発明の属する技術分野】
本発明は、パーソナルコンピュータ等の情報記録再生装置で使用可能なリムーバブル記録媒体を用いて、各種情報の記録後にＥＣＢコード以後に未使用領域を有する記録単位に対して特定の情報を記録再生する方法に関するものである。
【０００２】
【従来の技術】
パーソナルコンピュータ等の情報記録再生装置で使用可能なリムーバブル記録媒体としては、フレキシブルディスク（ＦＤ）、光磁気ディスク（ＭＯ）、ＺＩＰ（登録商標）ディスク、リムーバブルハードディスク、書き換え可能ＣＤ、書き換え可能ＤＶＤ、フラッシュメモリ等がある。以下に、フレキシブルディスク（ＦＤ）の場合を例に挙げて、その領域構成を説明する。
【０００３】
フレキシブルディスク（ＦＤ）は、図８に示すように、全領域の先頭（ディスク最外周）に配置される管理領域５１と、管理領域５１の終端部に隣接して配置される記録領域５２とを具備して成る。上記管理領域５１には、図８に示すように、媒体種別情報（例えば２ＨＤ）と、ボリュームＩＤ情報（例えばＡＸ１２４７）と、ファイル名（例えばＸＸＸＸ．ＸＸＸ）、開始セクタ情報、リンクセクタ情報およびバイト数情報より成るファイル格納情報記録テーブル（以下、ＦＡＴという）とを含む、各種管理情報が記録されるようになっている。一方、上記記録領域５２は、複数個に分割された記録単位を有しており、少なくとも１つの記録単位を用いてデータやプログラム等の各種情報が記録されるようになっている。
【０００４】
上記管理領域５１および記録領域５２では、記録単位としてセクタを使用するが、１セクタの記録容量は、フレキシブルディスク（ＦＤ）の場合、ＺＩＰ（登録商標）ディスクや一部の光磁気ディスク（ＭＯ）の場合と同様に、５１２バイトである。また、書き換え可能ＣＤ（ＣＤ−ＲＷ）や書き換え可能ＤＶＤ（ＤＶＤ−ＲＡＭ等）の場合は、１セクタは２０４８バイトであり、リムーバブルハードディスクやフラッシュメモリの場合は、内蔵型ハードディスクの場合と同様に、１セクタの記録容量は、使用するファイルシステムに応じた記録容量（１６ＫＢの整数倍；例えば１６ＫＢ〜４０９６ＫＢ）である。なお、オペレーションシステム（ＯＳ）としてＷＩＮＤＯＷＳ（登録商標）ＸＰ等を用いるパーソナルコンピュータでフレキシブルディスク（ＦＤ）を使用する場合、「８０トラック、１トラック＝１８セクタ、１セクタ＝５１２バイト、両面記録」でフォーマットされることから、２ＨＤ形式のＦＤの記録容量は、
８０×１８×５１２×２／１０２４＝１４４０ＫＢ（通称１．４４ＭＢ）
である。
【０００５】
上記記録単位は、図９（ａ）に示すように定義されており、その先頭には記録単位の開始を示すＳＴＦコード（１バイト）が配置され、ＳＴＦコードの後にはデータやプログラム等の各種情報の記録に使用する記録領域が配置され、記録領域の最後尾には記録単位の終了を示すＥＯＦコード（１バイト）および記録単位のエラーチェックを示すＥＣＢコード（１バイト）が配置されている。そのため、フレキシブルディスク（ＦＤ）のような１セクタ＝５１２バイトを記録単位とする記録媒体では、５１２バイト−３バイト＝５０９バイトが１つの記録単位内に記録し得る最大記録容量となり、５０９バイトを越える大きさのデータやプログラム等の各種情報を記録する場合には複数の記録単位にまたがって記録されることになる。その場合、当該情報を５０９バイトずつに分割したときの５０９バイトの情報を記録した記録単位は、図９（ｂ）に示すように全く未使用領域が無いものとなるが、５０９バイト未満（５０９バイト−Ｎバイト）の情報を記録した記録単位は、図９（ｃ）に示すようにＮバイトの未使用領域を有するものとなるため、記録領域外の未使用領域を有する記録単位が生じることになる。
【０００６】
このような記録領域外の未使用領域は、ＳＴＦコードおよびＥＯＦコードに挟まれた領域の外部に位置するため、パーソナルコンピュータ等の情報記録再生装置のオペレーションシステム（ＯＳ）によって認識されず、記録領域として使用することができない。また、仮に何らかの手段を講じることにより情報を記録できたとしても、ＯＳ経由でその情報を読み出すことができない。
【０００７】
【発明が解決しようとする課題】
上記のような記録領域外の未使用領域を有する記録単位は、当該記録媒体に情報の記録を繰り返すことにより増加し続けることになるが、現状では、パーソナルコンピュータ等の情報記録再生装置のオペレーションシステム（ＯＳ）が、このような記録領域外の未使用領域を有する記録単位の未使用領域を情報の記録に利用するような管理を行っていないため、上記記録領域外の未使用領域を有する記録単位の未使用領域は利用されないままになっている。この場合、上記記録領域外の未使用領域を有する記録単位の未使用領域は、「ＯＳ経由では情報を記録再生できない」という特徴を有しており、「通常のＯＳ経由の記録再生時には見えない、特殊な記録領域」として利用し得る可能性を秘めている。そのため、特殊な記録領域として利用する際には、ＩＤやパスワード等のセキュリティに関する情報を記録（格納）するのに適している。
【０００８】
本発明は、記録媒体の未使用領域を有する記録単位に対して特定の情報を記録再生する方法を提供することを目的とする。
【０００９】
【課題を解決するための手段】
上記目的を達成するため、請求項１に記載の第１発明は、パーソナルコンピュータ等の情報記録再生装置で使用可能な記録媒体であって、全領域の先頭部に配置され、ファイル格納情報記録テーブルを含む管理情報が記録される管理領域と、前記管理領域の終端部に隣接して配置され、複数個に分割された記録単位の少なくとも１つを用いてデータやプログラム等の各種情報が記録される記録領域とを備える記録媒体を用いて、前記各種情報の記録後にＥＣＢコード以後に未使用領域を有する記録単位に対して特定の情報を記録再生するに際し、前記情報記録再生装置のオペレーションシステムの起動後の前記記録媒体の認識時に起動され、前記各種情報の記録後にＥＣＢコード以後に未使用領域を有する記録単位を検索する第１工程と、未使用領域を有する記録単位の全てに関する索引を作成して前記記録領域の所定位置に記録する第２工程とから成る管理工程と、前記特定の情報の記録指令時に起動され、当該特定の情報を記録可能な大きさの未使用領域を有する記録単位を検索する第３工程と、検索条件を満足する記録単位のＥＣＢコード以後の未使用領域に当該特定の情報を記録する第４工程と、前記記録に使用した記録単位に関する情報を前記索引に記録する第５工程とから成る特定情報記録工程と、前記特定の情報の再生指令時に起動され、前記索引を参照して当該特定の情報を記録した記録単位に関する情報を取得する第６工程と、取得した情報に対応する記録単位のＥＣＢコード以後の領域から前記特定の情報を読み出す第７工程とから成る特定情報再生工程と、を前記情報記録再生装置が実行することを特徴とする。
【００１０】
第１発明によれば、パーソナルコンピュータ等の情報記録再生装置で使用可能な記録媒体を用いて、各種情報の記録後にＥＣＢコード以後に未使用領域を有する記録単位に対して特定の情報を記録再生する際には、前記情報記録再生装置が、前記情報記録再生装置のオペレーションシステムの起動後の前記記録媒体の認識時に起動され、前記各種情報の記録後にＥＣＢコード以後に未使用領域を有する記録単位を検索する第１工程と、未使用領域を有する記録単位の全てに関する索引を作成して前記記録領域の所定位置に記録する第２工程とから成る管理工程を実行し、前記特定の情報の記録指令時に起動され、当該特定の情報を記録可能な大きさの未使用領域を有する記録単位を検索する第３工程と、検索条件を満足する記録単位のＥＣＢコード以後の未使用領域に当該特定の情報を記録する第４工程と、前記記録に使用した記録単位に関する情報を前記索引に記録する第５工程とから成る特定情報記録工程を実行するとともに、前記特定の情報の再生指令時に起動され、前記索引を参照して当該特定の情報を記録した記録単位に関する情報を取得する第６工程と、取得した情報に対応する記録単位のＥＣＢコード以後の領域から前記特定の情報を読み出す第７工程とから成る特定情報再生工程を実行するから、記録媒体の未使用領域を有する記録単位に対して特定の情報を記録再生する方法を提供することができる。
【００１１】
前記記録媒体の認識後に前記情報記録再生装置のオペレーションシステムに常駐して前記特定の情報を記録した記録単位に対する前記オペレーションシステムを経由した記録指令の有無を検出する第８工程と、前記記録指令の検出時に前記特定の情報を記録可能な大きさの未使用領域を有する代替記録単位を検索する第９工程と、検索条件を満足する代替記録単位のＥＣＢコード以後の未使用領域に前記特定の情報を移動させて記録する第１０工程と、前記記録に使用した代替記録単位に関する情報を前記索引に記録するとともに前記索引から前記第５工程で記録に使用した記録単位に関する情報を削除する第１１工程とから成る特定情報移動記録工程を前記情報記録再生装置が実行するのが、前記特定の情報の記録に使用した記録単位に対するオペレーションシステムを経由した情報の記録に応じて前記特定の情報を記録する記録単位の位置が変化するため、セキュリティ性を高める上で好ましい。
【００１２】
前記管理工程、特定情報記録工程および特定情報再生工程は、当該記録媒体に予め組み込まれたプログラムにより実行するのが、所望の記録媒体のみに「記録媒体の未使用領域を有する記録単位に対して特定の情報を記録再生する機能」を付加する上で好ましい。
【００１３】
前記管理工程、特定情報記録工程、特定情報再生工程および特定情報移動記録工程は、当該記録媒体に予め組み込まれたプログラムにより実行するのが、所望の記録媒体のみに「記録媒体の未使用領域を有する記録単位に対して特定の情報を記録再生する機能」を付加する上で好ましい。
【００１４】
前記特定の情報は、ＩＤ情報、パスワード情報等のセキュリティに関する情報であるのが、当該記録媒体を「ＩＤ等を記録したキー媒体」として使用する上で好ましい。
【００１５】
前記特定の情報は、ＩＤ情報、パスワード情報等のセキュリティに関する情報およびそれを利用するセキュリティ管理プログラムであるのが、当該記録媒体を「ＩＤ等を記録したキー媒体」として使用するとともに記録されたＩＤ等を用いてセキュリティ管理プログラムを実行する上で好ましい。
【００１６】
前記特定の情報は、当該情報自体を管理するための管理情報を備えるのが、記録領域外の未使用領域を有する記録単位の未使用領域に対する前記特定の情報の記録再生を容易にする上で好ましい。
【００１７】
前記記録媒体は、フレキシブルディスク、光磁気ディスク、ＺＩＰ（登録商標）ディスク、リムーバブルハードディスク、書き換え可能ＣＤ、書き換え可能ＤＶＤ、フラッシュメモリ等のリムーバブル記録媒体であるのが、限りある記録領域を有効に利用して当該記録媒体を「ＩＤ等を記録したキー媒体」として使用する上で好ましい。
【００１８】
【発明の実施の形態】
以下、本発明の実施の形態を図面に基づき詳細に説明する。図１は本発明の第１実施形態の記録媒体の未使用領域を有する記録単位に対して特定の情報を記録再生する方法の実施に用いる記録媒体の領域構成を例示する図である。本実施形態においては、記録媒体として、フレキシブルディスク（ＦＤ）、光磁気ディスク（ＭＯ）、ＺＩＰ（登録商標）ディスク、リムーバブルハードディスク、書き換え可能ＣＤ（ＣＤ−ＲＷ）、書き換え可能ＤＶＤ（ＤＶＤ−ＲＡＭ、ＤＶＤ−ＲＷ、ＤＶＤ＋ＲＷ）、フラッシュメモリ（スマートメディア（商標）、コンパクトフラッシュ（登録商標）、メモリースティック（商標）、ＳＤメモリーカード（商標）、マルチメディアカード（商標））等のリムーバブル記録媒体を使用することができる。以下においては、リムーバブル記録媒体の一種であるフレキシブルディスク（ＦＤ）を用いるとともに、その中にＩＤやパスワード等のセキュリティに関する情報およびその情報を利用するセキュリティ管理プログラムを格納したＦＤ（ＩＤキーＦＤ）の場合を例に挙げて説明する。
【００１９】
図１に示す本実施形態のＦＤ（ＩＤキーＦＤ）は、図８に示す通常のＦＤと同様に、全領域の先頭（ディスク最外周）に配置される管理領域１と、管理領域１の終端部に隣接して配置される記録領域２とを具備して成る。上記管理領域１には、図１に示すように、媒体種別情報（例えば２ＨＤ）３と、ボリュームＩＤ情報（例えばＡＸ１２４７）４と、ファイル名（例えばＴＥＳＴ．ＤＡＴ）、開始セクタ情報、リンクセクタ情報およびバイト数情報より成るファイル格納情報記録テーブル（ＦＡＴ）５とを含む、各種管理情報が記録されるようになっている。一方、上記記録領域２は、複数個に分割された記録単位（セクタ；１セクタ＝５１２バイト）を有しており、少なくとも１つの記録単位を用いてデータやプログラム等の各種情報が記録されるようになっている。
【００２０】
上記本実施形態のＦＤは、第１に、以下のような媒体管理のための情報が記録されている点で、通常のＦＤと相違している。すなわち、図１に示すように、記録領域２の所定領域（図示例では後部領域）には、索引（第２ＦＡＴ）６が記録されており、第２ＦＡＴ６の直前の領域には、管理プログラム（Ｐ１）７、特定情報記録プログラム（Ｐ２）８および特定情報再生プログラム（Ｐ３）９が図示の順序で記録されている。なお、管理プログラム７、特定情報記録プログラム８および特定情報再生プログラム９の記録位置は上記に限定されるものではなく、管理領域１の所定領域（例えば後部領域）に記録するようにしてもよい。
【００２１】
上記本実施形態のＦＤは、第２に、上記管理プログラム（Ｐ１）７等の動作に応じて、ＥＣＢコード以後に未使用領域を有する記録単位内に以下のようなセキュリティ管理のための情報およびその情報を利用するセキュリティ管理プログラムが記録される点で、通常のＦＤと相違している。すなわち、図１に示すように、記録領域２の複数の記録単位の内、データやプログラム等の各種情報の記録後にＥＣＢコード以後に未使用領域を有する記録単位１０−１，１０−２，１０−３，の未使用領域にはそれぞれ、ＩＤ１１、パスワード（ＰＷ）１２およびセキュリティ管理プログラム（ＳＰ）１３が記録されている。なお、上記ＩＤ１１、パスワード（ＰＷ）１２およびセキュリティ管理プログラム（ＳＰ）１３は、当該情報自体を管理するための管理情報（ＳＴＦ、ＥＯＦおよびＥＣＢに相当する情報）を備えているものとする。
【００２２】
次に、本実施形態のＩＤキーＦＤの作成方法を説明する。
まず、所定記録容量（例えば１４４０ＫＢ）にフォーマットしたＦＤを用意する。次に、記録領域２の最後尾に空の第２ＦＡＴ６を記録し、次に、第２ＦＡＴ６の直前の領域に、管理プログラム（Ｐ１）７、特定情報記録プログラム（Ｐ２）８および特定情報再生プログラム（Ｐ３）９を図１に示す順序で記録し、その後、第２ＦＡＴ６に上記管理プログラム（Ｐ１）７、特定情報記録プログラム（Ｐ２）８および特定情報再生プログラム（Ｐ３）９に関する情報を記録する。以上によって記録された管理プログラム（Ｐ１）７等は、ＯＳを経由した通常の記録であるので、ＯＳを経由した通常の再生指令によって再生（読み出し）可能である。
【００２３】
次に、記録領域２の先頭に、例えば「ＴＥＳＴ．ＤＡＴ」というファイル名を有する「ＡＢＣＤ」という４バイトのダミー情報を記録する。これにより、管理領域１のＦＡＴ５には図示のようなファイル名等の情報が記録される。次に、文書ファイル等の情報を多数用意して、記録領域２に順次記録する。以上により、記録領域２内に、ＥＣＢコード以後に未使用領域を有する記録単位１０−１，１０−２，１０−３，・・が生じるとともに、ＦＡＴ５に上記記録に対応する情報が記録されることになる。なお、以上説明した情報の記録は、「ＩＤキーＦＤの発行者」が行うものとする。
【００２４】
次に、上記のようにして作成した「ＩＤキーＦＤ」に、実際に、セキュリティ管理のための情報およびその情報を利用するセキュリティ管理プログラムを記録して再生する方法を図２〜図４に基づいて説明する。
まず、オペレーションシステム（ＯＳ）としてＷＩＮＤＯＷＳ（登録商標）ＸＰ等を用いるパーソナルコンピュータ（以下、ＰＣという）を情報記録再生装置として使用して、ＰＣのオペレーションシステムの起動後に、「ＩＤキーＦＤの挿入を検出したときに管理プログラム（Ｐ１）７を起動するプログラム」を常駐させておく。この状態で、図１に示すＩＤキーＦＤをＦＤドライブに挿入すると、ＩＤキーＦＤの認識に伴い、図２に示す管理プログラム（Ｐ１）７が起動することになる。
【００２５】
図２において、まず、ステップＳ１では、記録領域２に存在する「ＥＣＢコード以後に未使用領域を有する記録単位」を検索する。これにより、検索条件を満たす記録単位１０−１，１０−２，１０−３，・・が検索される。次のステップＳ２では、未使用領域を有する記録単位の全てに関する情報（この場合開始セクタ情報）を第２ＦＡＴ６に記録する。以上により、ＥＣＢコード以後に未使用領域を有する記録単位１０−１，１０−２，１０−３，・・が、情報の記録再生に利用できるようになる。
【００２６】
次のステップＳ３では、初回（すなわち、ＩＤキーＦＤの発行者による特定情報記録時）か否かを判定し、初回である場合には処理をステップＳ４に進め、２回目以降（すなわち、ユーザの使用時）である場合にはステップＳ４をスキップして処理をステップＳ５に進める。ステップＳ４では、上記セキュリティ管理のための情報およびその情報を利用するセキュリティ管理プログラムを記録するために、図３に示す特定情報記録プログラム（Ｐ２）８を起動して実行し、ステップＳ５では、上記セキュリティ管理のための情報を利用してセキュリティ管理を行うために、図４に示す特定情報再生プログラム（Ｐ３）９を起動して実行する。
【００２７】
図３において、まず、ステップＳ１１では、ＩＤ１１を記録可能な大きさの未使用領域を有する記録単位を検索する。その結果、検索条件を満たす記録単位１０−１，１０−２，１０−３，・・が検索される。次のステップＳ１２では、検索条件を満足する記録単位の中の予め設定した選択条件（複数の記録単位が検索された場合、最上位アドレスの記録単位を選択するものとする）に該当する記録単位である、記録単位１０−１のＥＣＢコード以後の未使用領域にＩＤ１１を記録する。次のステップＳ１３では、記録に使用した記録単位１０−１に関する情報（ファイル名、開始セクタ情報、バイト数情報およびリンクがある場合のリンクセクタ情報）を第２ＦＡＴ６に記録する。次のステップＳ１４では、ＰＷ１２およびＳＰ１３に関するステップＳ１１〜ステップＳ１３と同様の処理を行い、記録単位１０−２のＥＣＢコード以後の未使用領域にＰＷ１２を記録するとともに、記録単位１０−３のＥＣＢコード以後の未使用領域にＳＰ１３を記録する。なお、上記ＩＤ１１，ＰＷ１２，ＳＰ１３の記録は、上記ステップＳ１１−Ｓ１２間に「ＩＤ１１等のデータ入力を要求するコメント」を表示して、ＩＤキーＦＤの発行者にＩＤ１１等のデータを手動で入力させる方法を用いるものとするが、代わりに、予め上記ＰＣの記憶装置にＩＤ１１，ＰＷ１２，ＳＰ１３を記憶させておき、それらを自動的に読み出して記録する方法を用いてもよい。以上により、図１に示す状態のＩＤキーＦＤが作成される。
【００２８】
なお、本実施形態では、ＩＤ１１、パスワード（ＰＷ）１２およびセキュリティ管理プログラム（ＳＰ）１３の全てをＩＤキーＦＤに記録するようにしているが、ＩＤキーＦＤにＩＤ１１のみまたはパスワード（ＰＷ）１２のみを記録する構成や、ＩＤ１１およびパスワード（ＰＷ）１２はＩＤキーＦＤに記録するがセキュリティ管理プログラムは（ＳＰ）はＰＣのハードディスクに記録する構成とすることもでき、それらの場合には、上記図３の特定情報記録プログラムにおいて、必要としない情報の記録を省略するものとする。
【００２９】
図２のステップＳ３で２回目以降であると判定された場合に起動される図４の特定情報再生プログラム（Ｐ３）９において、まず、ステップＳ２１では、セキュリティ管理プログラム（ＳＰ）１３を起動する。次のステップＳ２２では、セキュリティ管理プログラム（ＳＰ）１３が要求するＩＤ１１を読み出すため、第２ＦＡＴ６を参照してＩＤ１１を記録した記録単位の開始セクタ情報を取得する。次のステップＳ２３では、前記開始セクタ情報に対応する記録単位のＥＣＢコード以後の領域からＩＤ１１を読み出す。次のステップＳ２４では、セキュリティ管理プログラム（ＳＰ）１３が要求するＰＷ１２を読み出すため、第２ＦＡＴ６を参照してＰＷ１２を記録した記録単位のアドレス情報を取得する。次のステップＳ２５では、前記アドレス情報に対応する記録単位のＥＣＢコード以後の領域からＰＷ１２を読み出す。
【００３０】
次のステップＳ２６では、ＩＤおよびＰＷのデータ入力を要求する。この場合、このデータ入力の要求に応じて、ユーザがＩＤおよびＰＷのデータを手動で入力するものとする。次のステップＳ２７，Ｓ２８では、入力されたＩＤ，ＰＷと読み出したＩＤ１１，ＰＷ１２とが一致するが否かを判定する。これらステップＳ２７，Ｓ２８の判定において、両方共一致した場合には、処理をステップＳ２９に進めて、「正規媒体（または正規ユーザ）であるため、所定プログラムの実行を許可する」等の正当判定処理を行い、少なくとも一方が不一致の場合は、「正規媒体（または正規ユーザ）ではないため、所定プログラムの実行を許可せず、そのまま終了する」等の異常判定処理を行う。
【００３１】
本実施形態によれば、図１のように記録媒体を構成することにより、記録媒体の未使用領域を有する記録単位に対して特定の情報を記録再生する方法を提供することができる。
また、本実施形態によれば、記録媒体としてＦＤを使用してＩＤキーＦＤとして構成して使用する際には、記録領域２のＥＣＢコード以後に未使用領域を有する記録単位１０−１，１０−２，１０−３にそれぞれ記録した、ＩＤ１１，パスワード（ＰＷ）１２，セキュリティ管理プログラム（ＳＰ）１３は、ＦＡＴ５の管理下では見えず、ＰＣにおける通常のディスクのコピー操作では図１と同一内容のＦＤを作成することができないため、極めて高いセキュリティ性能が得られることになる。
【００３２】
図５は本発明の第２実施形態の記録媒体の未使用領域を有する記録単位に対して特定の情報を記録再生する方法の実施に用いる記録媒体の領域構成を例示する図である。本実施形態では、上記第１実施形態と同様に記録媒体として用いたＦＤをＩＤキーＦＤとして構成しているが、記録領域２の第２ＦＡＴ６の直前の領域の特定情報再生プログラム（Ｐ３）９に続けて特定情報移動記録プログラム（Ｐ４）１４を追加する変更を加えるとともに、その変更に対応させて管理プログラム（Ｐ１）７を図６のように変更している。
【００３３】
すなわち、図６の管理プログラム（Ｐ１）７では、ステップＳ４の後にステップＳ６を追加しているため、ステップＳ４の実行後には処理がステップＳ６に進み、図７に示す特定情報移動記録プログラム（Ｐ４）８を起動して実行することになる。
【００３４】
図７において、まず、ステップＳ３１では、ＩＤ１１、ＰＷ１２，ＳＰ１３を記録した記録単位に対するＯＳ経由の記録指令の有無を判別する。この判別において、記録指令が無い場合は自己ループを繰り返すため、ＰＣのＯＳに常駐することになる。一方、記録指令があった場合は、次のステップＳ３２で、ＩＤ１１を記録可能な大きさの未使用領域を有する代替記録単位を検索する。次のステップＳ３３では、検索条件を満足する代替記録単位のＥＣＢコード以後の未使用領域にＩＤ１１を移動させて記録する。なお、検索条件を満足する複数の代替記録単位が検索された場合、最上位アドレスの記録単位を選択するものとする。
【００３５】
次のステップＳ３４では、ＰＷ１２およびＳＰ１３に関するステップＳ３２−Ｓ３３と同様の処理を行い、検索条件を満足する代替記録単位のＥＣＢコード以後の未使用領域にＰＷ１２を移動させて記録するとともに、検索条件を満足する代替記録単位のＥＣＢコード以後の未使用領域にＳＰ１３を移動させて記録する。次のステップＳ３５では、ＩＤ１１、ＰＷ１２，ＳＰ１３の記録に使用した代替記録単位に関する情報ファイル名、開始セクタ情報、バイト数情報およびリンクがある場合のリンクセクタ情報）を第２ＦＡＴ６に記録するとともに第２ＦＡＴ６から移動前に記録に使用した記録単位に関する情報を削除する。
【００３６】
ところで、本実施形態のＦＤは「ＩＤキーＦＤ」として使用することを前提としているため、文書ファイル等の記録によって記録領域２の空き領域が減少し続けて零になるような使い方は原則的に起こり得ないため、ステップＳ３２において代替記録単位無しと判別される可能性は極めて低いが、代替記録単位無しと判別された場合には、処理をステップＳ３６に進めて、「記録不可能の警告」を発するとともに当該記録単位に対するＯＳ経由の記録を中止させる（言い換えれば、他の記録単位に対して当該記録を行うような指令をＯＳに返す）ようにするものとする。なお、この特定情報移動記録プログラム（Ｐ４）８が有効を機能させるため、例えば、一定周期毎に、記録領域２内に記録した文書ファイル等を上書き記録することにより、「各種情報の記録後にＥＣＢコード以後に未使用領域を有する記録単位および代替記録単位」の位置を度々変化させるようにするのが好ましく、本実施形態ではそのようにするものとする。
【００３７】
本実施形態によれば、上記第１実施形態と同様の作用効果が得られる上に、ＩＤ１１、ＰＷ１２，ＳＰ１３の記録に使用する記録単位（または代替記録単位）に対するオペレーションシステムを経由した情報の記録（上書記録）に応じてＩＤ１１、ＰＷ１２，ＳＰ１３を記録する記録単位の位置が度々変化するため、セキュリティ性を高める効果が得られる。
【図面の簡単な説明】
【図１】本発明の第１実施形態の記録媒体の未使用領域を有する記録単位に対して特定の情報を記録再生する方法の実施に用いる記録媒体の領域構成を例示する図である。
【図２】第１実施形態の記録媒体をＩＤキーＦＤとした場合にその記録領域に記録する管理プログラムを例示する図である。
【図３】第１実施形態の記録媒体をＩＤキーＦＤとした場合にその記録領域に記録する特定情報記録プログラムを例示する図である。
【図４】第１実施形態の記録媒体をＩＤキーＦＤとした場合にその記録領域に記録する特定情報再生プログラムを例示する図である。
【図５】本発明の第２実施形態の記録媒体の未使用領域を有する記録単位に対して特定の情報を記録再生する方法の実施に用いる記録媒体の領域構成を例示する図である。
【図６】第２実施形態の記録媒体をＩＤキーＦＤとした場合にその記録領域に記録する管理プログラムを例示する図である。
【図７】第２実施形態の記録媒体をＩＤキーＦＤとした場合にその記録領域に記録する特定情報移動記録プログラムを例示する図である。
【図８】従来のフレキシブルディスク（ＦＤ）の領域構成を説明するための図である。
【図９】（ａ）は従来のフレキシブルディスク（ＦＤ）の記録単位の構成を示す図であり、（ｂ）は記録単位の記録領域の全域に情報を記録した状態を示す図であり、（Ｃ）は記録単位の記録領域に情報を記録した結果、未使用領域が生じた状態を示す図である。
【符号の説明】
１　管理領域
２　記録領域
３　媒体種別情報
４　ボリュームＩＤ情報
５　ファイル格納情報記録テーブル（ＦＡＴ）
６　索引（第２ＦＡＴ）
７　管理プログラム（Ｐ１）
８　特定情報記録プログラム（Ｐ２）
９　特定情報再生プログラム（Ｐ３）
１０−１，１０−２，１０−３，・・　ＥＣＢコード以後に未使用領域を有する記録単位
１１　ＩＤ
１２　パスワード（ＰＷ）
１３　セキュリティ管理プログラム（ＳＰ）
１４　特定情報移動記録プログラム（Ｐ４）
【図１】
2004021632.tif 000003
【図２】
2004021632.tif 000004
【図３】
2004021632.tif 000005
【図４】
2004021632.tif 000006
【図５】
2004021632.tif 000007
【図６】
2004021632.tif 000008
【図７】
2004021632.tif 000009
【図８】
2004021632.tif 000010
【図９】
2004021632.tif 000011